(57)【特許請求の範囲】
【請求項１】
モータを内蔵した本体と、前記モータの軸端部に固着される駆動カップリングと、前記駆動カップリングに接続して駆動される従動カップリングと、前記駆動カップリングには前記従動カップリング係止用の複数個のピン部を摺動自在に備え、前記複数個のピン部を連結する連結部を前記ピン部と一体に形成するとともに前記連結部の途中に屈曲部を設けた電動調理器。
【請求項２】
連結部の屈曲部近傍の断面積は、ピン部近傍よりも小さく形成した請求項１記載の電動調理器。
【請求項３】
ピン部と連結部とは異なる材質で一体に形成した請求項１記載の電動調理器。
【請求項４】
モータを内蔵した本体と、前記モータ軸の端部に固着される駆動カップリングと、前記駆動カップリングに接続して駆動される従動カップリングと、前記駆動カップリングに摺動自在に設けられた前記従動カップリング係止用の複数個のピン部と、前記複数個のピン部を前記従動カップリングに向けて付勢する円弧状のバネ部と、前記駆動カップリングの前記モータ軸の軸受け部に固着されるバネ係止部とを備え、前記ピン部と前記バネ部と前記バネ係止部とを一体に形成した電動調理器。
【請求項５】
バネ部に幅広の冷却フィンを形成した請求項４に記載の電動調理器。
【請求項６】
モータを内蔵した本体と、前記モータ軸の端部に固着される駆動カップリングと、前記駆動カップリングに接続して駆動される従動カップリングと、前記駆動カップリングに摺動自在に設けられた前記従動カップリング係止用の複数個のピン部と、前記ピン部の少なくとも１個に一体に形成され端部に突出部を有すると共に他のピン部を付勢するバネ部とを備え、前記突出部と相対応する位置に前記他のピン部の脱落を防止するリブを形成した電動調理器。
【発明の詳細な説明】
【０００１】
【発明の属する技術分野】
本発明は、電動機によりカップリングを介して容器内のカッターを回転させるジューサーなどの電動調理器の分野に関するものである。
【０００２】
【従来の技術】
従来、この種の電動調理器は、図８、図９および図１０に示すような構造が一般的であった。すなわち、１はモータ２を内蔵した本体で、３は本体１上に着脱自在に嵌合し、容器４内部に装着されたジュ−ス分離籠である。ジュ−ス分離籠３の底部にはカッター５が、下部には従動カップリング６が固着されており、モ−タ２に固着された駆動カップリング７を介して回転駆動される。駆動カップリング７中央には段付きの貫通孔８が形成されており、モータ２の軸９に貫通孔８を嵌合させた後、ナット１０により締め付けてモータ２に固着している。また、１１は従動カップリング６に形成された位置決め突起で、駆動カップリング７の貫通孔８に嵌合している。１２は止め輪で、駆動カップリング７の軸方向の位置決めを行っている。１３は駆動カップリング７に各々独立して設けられた複数個のピンで、孔１４に摺動自在に嵌合し、その溝１５に設けられたバネ１６により外側方向に付勢され、従動カップリング６の凹部１７に嵌合することにより、高速回転時駆動カップリング７から従動カップリング６が外れるのを防止している。ピン１３を孔１４に装着するときは、リブ１９に溝１５を嵌合させた状態でスライドさせる。その後９０°回転させ、バネ１６を溝１５にはめ込む。この状態では、ピン１３は内側方向に押し込まれても、リブ１９に端面が当たり孔１４より脱落することがない。
【０００３】
【発明が解決しようとする課題】
しかしながら前記従来の構成では、駆動カップリングの複数個のピンは独立しており、別部品として設けられた金属製のバネで付勢される構成のため、各々駆動カップリングに組み込まれることとなる。部品点数が多く、組み込み時比較的小さなピンの溝をバネがセット可能な位置に保持しなければならず、装着スペースが少ないものにあっては挿入し難く、しいては組み立てに手間がかるという問題を有していた。
【０００４】
本発明は前記従来の課題を解決するもので、ピンとバネを構成する部品点数を少なくし、従動カップリングにピンおよびバネを容易に組み込める電動調理器を提供することを目的としている。
【０００５】
【課題を解決するための手段】
前記従来の課題を解決するために本発明の電動調理器は、駆動カップリングと接続し駆動される従動カップリングと、前記従動カップリング係止用のピン部を前記駆動カップリングに複数個設け、前記複数個のピン部を連結する連結部をピン部と一体に形成するとともに前記連結部の途中に屈曲部を設けたものである。これにより、ピンとバネは１部品として扱うことができるため、部品点数を少なくできるとともに従動カップリングへの組み込みを容易に行うことがきる。
【０００６】
【発明の実施の形態】
請求項１に記載の発明はモータを内蔵した本体と、前記モータの軸端部に固着される駆動カップリングと、前記駆動カップリングに接続して駆動される従動カップリングと、前記駆動カップリングには前記従動カップリング係止用の複数個のピン部を摺動自在に備え、前記複数個のピン部を連結する連結部を前記ピン部と一体に形成するとともに前記連結部の途中に屈曲部を設けたことにより、構成する部品の取り扱いが容易になり連結部を変形させながら容易に組み込めることとなる。
【０００７】
請求項２に記載の発明は、請求項１の構成において、連結部の屈曲部近傍の総断面積を、ピン部近傍よりも小さく形成したことにより、連結部は屈曲部でより変形しやすくなる。
【０００８】
請求項３に記載の発明は、請求項１記載の構成において、ピン部と連結部とは異なる材質で一体に形成したものであり、ピン部を摩耗しにくい材料で、連結部をバネ性の高い材料で構成することにより、摩耗しにくくピン部を確実に付勢することができる。
【０００９】
請求項４に記載の発明は、モータを内蔵した本体と、前記モータ軸の端部に固着される駆動カップリングと、前記駆動カップリングに接続して駆動される従動カップリングと、前記駆動カップリングに摺動自在に設けられた前記従動カップリング係止用の複数個のピン部と、前記複数個のピン部を前記従動カップリングに向けて付勢する円弧状のバネ部と、前記駆動カップリングの前記モータ軸の軸受け部に固着されるバネ係止部とを備え、前記ピン部と前記バネ部と前記バネ係止部とを一体に形成したことにより、ピンとバネを構成する部品点数を少なくし、ピンおよびバネを容易に組み込める。
【００１０】
また、バネ部を円弧状に形成したことにより、円弧の長さを変えることによりバネの強さを自在に設定することができる。
【００１１】
請求項５に記載の発明は、請求項４記載の構成において、バネ部に幅広の冷却フィンを形成したものであり、モータの冷却を有効に行うことができる。
【００１２】
請求項６に記載の発明は、モータを内蔵した本体と、前記モータ軸の端部に固着される駆動カップリングと、前記駆動カップリングに接続して駆動される従動カップリングと、前記駆動カップリングに摺動自在に設けられた前記従動カップリング係止用の複数個のピン部と、前記ピン部の少なくとも１個に一体に形成され端部に突出部を有すると共に他のピン部を付勢するバネ部を形成したもので、形状を簡単にでき、部品点数も少なくできる。さらに、前記突出部と相対応する位置に前記他のピン部の脱落を防止するリブを形成したもので、組み立てやすく、また、駆動カップリングの摺動部からのピンの脱落を防止できる。
【００１３】
【実施例】
以下、本発明の実施例について図面を参照しながら説明する。
【００１４】
（実施例１）
図１（ａ）、（ｂ）は、本発明の実施例１における電動調理器の要部断面と側面、およびカップリング部の要部拡大を示す図である。図において、２１はモータ２２を内蔵した本体で、２３は本体２１上に着脱自在に嵌合し、容器２４内部に装着されたジュ−ス分離籠である。ジュ−ス分離籠２３の底部にはカッター２５が、下部には従動カップリング２６と固着されており、モ−タ２２の軸３１に固着された駆動カップリング２７を介して回転駆動される。駆動カップリング２７は樹脂部２８とこれにインサート成形された金属部２９とで構成され、回転中心部の中央には段付きの貫通孔３０が形成されており、モータ２２の軸３１に貫通孔３０の金属部２９を嵌合させた後、金属製のナット３２により締め付けてモータ２２の軸３１と固着している。３３はゴムなどの弾性体からなるキャップで、貫通孔３０へ圧入状態でその端面がナット３２に当接する位置まで挿入されている。また、３４は従動カップリング２６に形成された位置決め突起で、駆動カップリング２７の貫通孔３０に嵌合している。３５は止め輪で、駆動カップリング２７の軸方向の位置決めを行っている。３６は駆動カップリング２７に複数個設けられたピンで、駆動カップリング２７の外周部分の嵌合用の孔３７に摺動自在に設けられ、連結部３８で一体に連結されて形成されている。連結部３８の途中には屈曲部３９を設けており、従動カップリング２６装着時には連結部３８の屈曲部３９を支点にし軸３１側に変形させることによりピン部３６を孔３７にセットできる。また、セットされたピン部３６は連結部３８のバネ力により付勢されるため孔３７からは脱落しない。また、ピン部３６が従動カップリング２６の凹部４４に嵌合することにより、運転時駆動カップリング２７から従動カップリング２６が外れるのを防止している。なお、４５は屈曲部３９を所定の位置に止めるボスである。
【００１５】
以上のように構成された電動調理器について、以下その動作を説明する。まず本体２１上に容器２４を載置して、さらにカッター２５を固着したジュース分離籠２３の従動カップリング２６部をモータ２２に固着された駆動カップリング２７に係合させた後、容器蓋４０を容器２４の開口部に装着し、クランプ４１で係止する。そして、モータ２２を駆動しジュース分離籠２３が回転した後、容器蓋４０の投入口４２より原材料を入れ押し込み棒４３でカッター２５に押し当てジュースはジュース分離籠２３の外へ、絞り粕はジュース分離籠２３内に分離させる。
【００１６】
以上のように本実施例によれば、ピンを連結部と一体に形成するため１個の部品で構成でき、部品取り扱いが容易になるとともに、連結部を変形させながら簡単に組み込むことができる。
【００１７】
（実施例２）
図２は、本発明の実施例２における電動調理器のカップリング部の下面を示す図である。実施例１と同一部材については同一符号とし説明を省略する。図において、３６はピン部で、連結部３８により各々連結され、その途中に屈曲部３９が形成されている。また、屈曲部近傍５１の厚みがピン部近傍５２よりも薄く形成することにより断面積を小さくしている。
【００１８】
以上のように本実施例によれば、ピン部３６を駆動カップリング２７の孔３７に挿入する時、連結部３８が屈曲部近傍５１を支点として変形しやすいため、変形が容易になり孔３７へのセットが簡単に行える。なお、本実施例では屈曲部近傍５１の厚みをピン部近傍５２よりも薄くしたが、屈曲部近傍５１の幅をピン部近傍５２より狭くしても同様の効果が得られる。
【００１９】
また、ピン部３６と連結部３８を異なった材料で一体に構成し、ピン部３６を摩耗し難い材料で、連結部３８をバネ製の高い材料で形成すれば、組立性および耐久性に優れた部品が得られる。
【００２０】
（参考例１）
図３は、本発明の参考例１における電動調理器のカップリング部の下面を示す図である。実施例１と同一部材については同一符号とし説明を省略する。図において、３６はピン部で、モータ軸３１の軸受部６１の外周に固着されたバネ係止部６２とバネ状のバネ部６３とが一体に形成されている。なお、６４はピン部３６の摺動時に駆動カップリング２７との摩擦を少なくしスムーズに動作させるためのリブ、６５はバネ部６３の左右の動きを規制するリブである。
【００２１】
以上のように本参考例によれば、バネ部６３の形状を自由に設定できるとともに、バネ係止部６２を所定の位置に装着した後、ピン部３６を組み込めるのでセットが容易に行える。
【００２２】
（実施例３）
図４は、本発明の実施例３における電動調理器のカップリング部の下面を示す図である。図において、実施例１と同一部材については同一符号とし説明を省略する。３６はピン部で、モータ軸３１の軸受部７１の外周に固着されたバネ係止部７２と円弧状のバネ部７３とが一体に形成されている。なお、７４はピン部３６とバネ部７３の摺動時に駆動カップリング２７との摩擦を少なくしスムーズに動作させるためのリブである。
【００２３】
以上のように本実施例によれば、バネ部７３の形状を簡単にできるとともに、駆動カップリング２７のバネ部７３の装着空間がが狭くても、円弧の長さを変えるだけでバネの強さを設定できる。
【００２４】
（実施例４）
図５は、本発明の実施例４における電動調理器のカップリング部の要部拡大断面を示す図である。図において、実施例１と同一部材については同一符号とし説明を省略する。３６はピン部で、モータ軸３１の軸受部８１の外周に固着されたバネ係止部８２と円弧状のバネ部８３とが一体に形成されている。８４は円弧状のバネ部８３に形成される幅広の冷却フィンであり、駆動カップリング２７が回転することにより、本体２１下部より吸い込まれた冷却空気がモータ２２の内部を通過した後、ボデー２１と駆動カップリング２７との間８５から排出するようになっている。
【００２５】
以上のように本実施例によれば、バネ部８３に形成される冷却フィン８４の作用によりモータ２２の内部を冷却空気が流れ、モータ２２の温度上昇を低下させることができる。
【００２６】
（参考例２）
図６は、本発明の参考例２における電動調理器のカップリング部の下面を示す図である。図において、実施例１と同一部材については同一符号とし説明を省略する。３６はピン部で、両端にバネ部９１が一体に形成されている。９２は他のピンで、バネ部９１が嵌合する溝９３が設けられている。なお、９４はピン部３６の、９５はバネ部９１の摺動時に駆動カップリング２７との摩擦を少なくしスムーズに動作するためのリブである。
【００２７】
以上のように本参考例によれば、１個のピン部３６で他の２個のピン９２を付勢するため、ピン部３６を孔３７に装着した後、他のピン部９２を孔９３に挿入しバネ部９１で付勢すればよいので組み立ても容易になる。
【００２８】
（実施例５）
図７は、本発明の実施例５における電動調理器のカップリング部の下面を示す図である。図において、実施例１と同一部材については同一符号とし説明を省略する。３６はピン部で、一端にバネ部１０１が一体に形成されており、さらに端部にはリブ１０２に当接可能な突出部１０３も設けられている。ピン部３６にはバネ部１０１が嵌合する溝１０４が設けられている。なお、１０５はピン部３６の、１０６はバネ部１０１の摺動時に駆動カップリング２との摩擦を少なくしスムーズに動作するためのリブである。
【００２９】
以上のように本実施例によれば、ピン部３６が軸３１方向に極端に押し込まれた時も突出部１０３がリブ１０２に当たり、孔３７から外れて脱落するのを防止できる。しかも、組み立てる時は、ピン部３６を孔３７に装着した後、バネ部１０１の突出部１０３を他のピン部の溝１０４に装着するので、容易に組み立てることができる。また、３個の部品は同じ形状にできるため、金型は１種類でよく金型製作費も安価にできる。
【００３０】
【発明の効果】
以上のように、本発明によれば、従動カップリング係止用のピン部を駆動カップリングに複数個設け、ピン部を連結する連結部をピン部と一体に形成し、この連結部をピン部付勢用のバネとすることにより、構成部品点数が少なくなり安価で、組み立ても容易に行うことができる。
【図面の簡単な説明】
【図１】  （ａ）本発明の実施例１における電動調理器の要部断面を含む側面図
（ｂ）同電動調理器の駆動カップリング部の下面図
【図２】  本発明の実施例２における電動調理器の駆動カップリング部の要部拡大下面図
【図３】  本発明の参考例１における電動調理器の駆動カップリング部の下面図
【図４】  本発明の実施例３における電動調理器の駆動カップリング部の下面図
【図５】  本発明の実施例４における電動調理器の駆動カップリング部の要部拡大断面図
【図６】  本発明の参考例２における電動調理器の駆動カップリング部の下面図
【図７】  本発明の実施例５における電動調理器の駆動カップリング部の下面図
【図８】  従来例の電動調理器の要部断面を含む側面図
【図９】  同、駆動カップリング部の要部拡大断面図
【図１０】  同、駆動カップリング部の下面図
【符号の説明】
２１  本体
２２  モータ
２６  従動カップリング
２７  駆動カップリング
３６  ピン部
３８  連結部
３９  屈曲部
５１  屈曲部近傍
５２  ピン部近傍
６２、７２，８２  係止部
６３、７３、８３、９１  バネ部
８４  冷却フィン
１０２  リブ
１０３  突出部
【図１】
0003846248.tif 000002
【図２】
0003846248.tif 000003
【図３】
0003846248.tif 000004
【図４】
0003846248.tif 000005
【図５】
0003846248.tif 000006
【図６】
0003846248.tif 000007
【図７】
0003846248.tif 000008
【図８】
0003846248.tif 000009
【図９】
0003846248.tif 000010
【図１０】
0003846248.tif 000011